(57)【要約】【課題】  画像データラインに異常状態が生じても、装置をダウンさせずに本来の画像に準じたレベルで画像を取得できる画像読取装置及び画像形成装置を提供する。【解決手段】  原稿を光源で照射する照射手段と、照射手段の反射光または透過光を少なくとも２種以上の光スペクトル感度特性をもつ光電変換素子で受光する受光手段と、原稿の画像に対応する電気データを感度特性数分出力する電気データ出力手段と、出力された電気データのうち１種類以上を使用し、画像データとして生成する画像データ生成手段と、使用される画像データラインの故障もしくは異常を検出する異常検出手段と、を有し、使用される画像データラインが故障もしくは異常時の場合、他の画像データを使用する。【選択図】  図３
2006229706.tif 000002
【特許請求の範囲】
【請求項１】
原稿を光源で照射する照射手段と、
前記照射手段の反射光または透過光を少なくとも２種以上の光スペクトル感度特性をもつ光電変換素子で受光する受光手段と、
前記原稿の画像に対応する電気データを前記感度特性数分出力する電気データ出力手段と、
前記出力された電気データのうち１種類以上を使用し、画像データとして生成する画像データ生成手段と、
使用される画像データラインの故障もしくは異常を検出する異常検出手段と、を有し、
前記使用される画像データラインが故障もしくは異常時の場合、他の画像データを使用することを特徴とする画像読取装置。
【請求項２】
前記電気データ出力手段は、
主走査の特定画素の値が書き込まれる特定画素値保持部と、
前記特定画素の値に対して予め正常設定範囲を指定し、該正常設定範囲以外の値になった場合、前記電気データにエラーを示す識別子を付加する識別子付加部と、
を有することを特徴とする請求項１記載の画像読取装置。
【請求項３】
前記異常検出手段は、
前記エラーを示す識別子の有無を元に、どの画像データラインで故障もしくは異常が有ったのかを判断することを特徴とする請求項２記載の画像読取装置。
【請求項４】
前記異常検出手段がスキャン前のシェーディング時に故障もしくは異常を検出した場合、他の画像データを使用することを特徴とする請求項１から３のいずれか１項に記載の画像読取装置。
【請求項５】
請求項１から４のいずれか１項に記載の画像読取装置を備えることを特徴とする画像形成装置。
【発明の詳細な説明】
【技術分野】
【０００１】
本発明は、イメージスキャナの光学制御に関し、詳しくは、異常状態が生じても、装置をダウンさせずに本来の画像に準じたレベルで画像を取得できる画像読取装置及び画像形成装置に関する。
【背景技術】
【０００２】
従来技術例として、青色受光素子列に焦点を合わせ、受光量を増す「カラー画像読み取り装置」がある（例えば、特許文献１参照）。
また、感度が低い光電変換素子で読み取る場合、ＮＤフィルタを退避させる「カラー画像読み取り装置」がある（例えば、特許文献２参照）。
また、多色原稿を読取後単一色で複写を行う場合、隣接領域の濃度差が小さい時は警告を発する「ディジタルカラー複写機」がある（例えば、特許文献３参照）。
【特許文献１】特開平９−１７２５１９号公報
【特許文献２】特開２０００−２５３２０７号公報
【特許文献３】特開平６−２２５１６７号公報
【０００３】
その他の従来技術例として、原稿を白色露光ランプで照射して、その反射光または透過光を光電変換素子で受光し、電気データをライン単位で上記感度特性数出力し、そのうち１種類を使用し画像データとする画像読取装置において、選択される画像データがＲＧＢのＢを選択された場合、１ラインあたりのＣＣＤ入射光量を変更可能な画像読取装置がある。
また、ＲＧＢのＧがＮＧの場合のＲ，Ｂデータ使用の読み取りを行い、その切替選択は操作表示部から入力し、その故障及び切替状態は表示されるものがある。
【発明の開示】
【発明が解決しようとする課題】
【０００４】
しかしながら、複数のスペクトル感度を持つカラー読取が可能な、従来技術の画像形成装置もしくは画像読取装置において、モノクロモードの読み取りには、複数ある各感度スペクトルの中から、１種のデータを使用して再現させている。
【０００５】
例えば、赤（Ｒ）、緑（Ｇ）、青（Ｂ）においては、視感度特性に近い緑をモノクロの読み取りデータを使用し、濃度を表現することが多い。このように、モノクロ読み取りとしてある１種類のデータを使用するのが一般的である。しかし、そのデータ系に異常があった場合（例えばＧの読取系データに異常があった場合だが、ＣＣＤ、アナログ増幅回路、ＡＤコンバータ、フィールドメモリなどのハード異常などが考えられる）モノクロの良好な画像取得に対し影響を及ぼす。例えば異常画像が発生し、使用不可となる。また、修復までのマシンの使用不可時間（ダウンタイム）は大きな値になり、メンテナンス従事者や交換パーツの到着を待つ時間の改善を求められている。
【０００６】
本発明は、上記事情に鑑みてなされたものであり、異常状態でも、マシンをダウンさせずに本来の画像に準じたレベルでも画像を取得できる画像読取装置及び画像形成装置を提供することを目的とする。
【課題を解決するための手段】
【０００７】
かかる目的を達成するために、請求項１記載の発明は、原稿を光源で照射する照射手段と、照射手段の反射光または透過光を少なくとも２種以上の光スペクトル感度特性をもつ光電変換素子で受光する受光手段と、原稿の画像に対応する電気データを感度特性数分出力する電気データ出力手段と、出力された電気データのうち１種類以上を使用し、画像データとして生成する画像データ生成手段と、使用される画像データラインの故障もしくは異常を検出する異常検出手段と、を有し、使用される画像データラインが故障もしくは異常時の場合、他の画像データを使用することを特徴とする。
【０００８】
請求項２記載の発明は、請求項１記載の発明において、電気データ出力手段は、主走査の特定画素の値が書き込まれる特定画素値保持部と、特定画素の値に対して予め正常設定範囲を指定し、正常設定範囲以外の値になった場合、電気データにエラーを示す識別子を付加する識別子付加部と、を有することを特徴とする。
【０００９】
請求項３記載の発明は、請求項２記載の発明において、異常検出手段は、エラーを示す識別子の有無を元に、どの画像データラインで故障もしくは異常が有ったのかを判断することを特徴とする。
【００１０】
請求項４記載の発明は、請求項１から３のいずれか１項に記載の発明において、異常検出手段がスキャン前のシェーディング時に故障もしくは異常を検出した場合、他の画像データを使用することを特徴とする。
【００１１】
請求項５記載の発明は、請求項１から４のいずれか１項に記載の画像読取装置を備えることを特徴とする。
【発明の効果】
【００１２】
本発明によれば、原稿を光源で照射して、その反射光または透過光を少なくとも２種以上の光スペクトル感度特性をもつ光電変換素子で受光し、原稿画像に対応する電気データを上記感度特性数分出力し、そのうち１種類以上を使用し画像データとし、使用される画像データラインが故障もしくは異常時の場合、他のデータを使用するので、異常状態でも、マシンをダウンさせずに本来の画像に準じたレベルでも画像を取得できる。
【発明を実施するための最良の形態】
【００１３】
以下、本発明を実施するための最良の形態について添付図面を参照して詳細に説明する。
【００１４】
図１は、本発明の実施形態に係るカラー画像読取装置の全体構成図である。スキャナ本体に関しての構成の説明を行う。
【００１５】
図１に示すように、原稿台ガラス８上に置かれた原稿は、第１ミラー３と一体に構成された照明ランプ２により照射され、その反射光は、第１ミラー３及び一体に構成された第２ミラー５、第３ミラー４で走査される。その後反射光は、レンズ１により集束され、カラーＣＣＤが搭載されたＳＢＵ１０に照射されることによりＲＧＢに光電変換される。
【００１６】
第１ミラー３、照明ランプ２及び第２ミラー５、第３ミラー４は、走行体モータ９を駆動源として、左右方向に移動可能となっている。
【００１７】
原稿自動送り装置であるＡＤＦ（Auto Document Feeder）を使用する際は、原稿は、表面、裏面の読み取り共にＤＦ用原稿ガラス６と反射ガイド板２０との間の読取位置を通過する際に、読取位置の近傍に移動されている照明ランプ２（照射手段）により照射され、その反射光は、第１ミラー３及び一体に構成された第２ミラー５、第３ミラー４で走査される。その後反射光は、レンズ１により集束され、カラーＣＣＤが搭載されたＳＢＵ１０に照射されることによりＲＧＢに光電変換される。
【００１８】
スキャナ本体にはスキャナ本体及びＡＤＦを含めたカラー画像読取装置の動作制御を行うＳＣＵ７が搭載されている。
【００１９】
図３に示すように、ＳＢＵ１０のカラーＣＣＤ４２（受光手段）に入光した原稿の反射光は、カラーＣＣＤ４２内で光の強度に応じた電圧値を持つＲＧＢ各色のアナログ信号に変換される。ＲＧＢ各色のアナログ信号は、奇数ビット（ＯＤＤ）と偶数ビット（ＥＶＥＮ）に分かれて出力される。
【００２０】
上記ＳＢＵ１０のアナログ画像信号は、ＶＩＯＢ３１（電気データ出力手段）の各アナログ処理回路３２で暗電位部分が取り除かれ、奇数ビットと偶数ビットが合成され、所定の振幅にゲイン調整された後に各Ａ／Ｄコンバータ３３に入力されデジタル信号化される。
【００２１】
デジタル化された画像信号は、シェーディングＡＳＩＣ３４によりシェーディング補正され、ＶＩＯＢ３１からＳＣＵ７に入力され、ＳＣＵ７上のＩＰＵ３５（画像データ生成手段）で、ガンマ補正、ＭＴＦ補正等の画像処理が行なわれた後、同期信号、画像クロックとともにビデオ信号として出力される。
【００２２】
ＩＰＵ３５から出力されたビデオ信号は、ＯＩＰＵ３６へ出力される。ＯＩＰＵ３６へ出力されたビデオ信号は、ＯＩＰＵ３６内で所定の画像処理が行なわれ、再びＳＣＵ７へ入力される。再びＳＣＵ７へ入力されたビデオ信号は、ＶＩＤＥＯ入力切り換え回路３７に入力される。
【００２３】
前記ＶＩＤＥＯ入力切り換え回路３７のもう一方の入力はＩＰＵ３５から出力されたビデオ信号となっており、ＯＩＰＵ３６で画像処理の実行するか否かを選択できる構成となっている。
【００２４】
前記ＶＩＤＥＯ入力切り換え回路３７から出力されたビデオ信号は、画像データ記憶手段（ＳＤＲＡＭ）を管理するメモリコントローラのＳＩＢＣ２３８に入力され、ＳＤＲＡＭで構成される画像メモリ１０６に蓄えられる。
【００２５】
画像メモリ１０６に蓄えられた画像データは、ＳＣＳＩコントローラ３９に送られ、パソコンやプリンタ等の外部装置へ転送される。
【００２６】
また、ＳＣＵ７には、ＣＰＵ１０８、ＲＯＭ１０９、ＲＡＭ１１０が実装されており、ＣＰＵ１０８は、外部インターフェース部（外部Ｉ／Ｆ）のＳＣＳＩコントローラ３９を制御することによりパソコン等の外部装置との通信を行う。
【００２７】
同様にＣＰＵ１０８は、前記ＶＩＤＥＯ入力切り換え回路３７から出力されたビデオ信号を外部Ｉ／Ｆ機能であるＩＥＥＥ１３９４コントローラのＩＳＩＣ４０を介してＩＥＥＥ１３９４Ｉ／Ｆと、また、ネットワークスキャナコントローラであるＮＩＣ４１を介してネットワークＩ／Ｆによりパソコンやプリンタ等の外部装置との通信を行う。なお、図３では明示していないが、ＣＰＵ１０８と、ＩＳＩＣ４０及びＮＩＣ４１とは電気的に接続されている。
【００２８】
また、ＣＰＵ１０８は走行体を移動するためのモータ制御も行い、モータドライバ１１２を制御することにより、スキャナ本体のステッピングモータである走行体モータ９、ＡＲＤＦの給紙モータ（図示せず）、搬送モータ（図示せず）のタイミング制御も行っている。
【００２９】
図２に示すＡＤＵ４２は、ＡＲＤＦ部に用いる電装部品の電力供給を中継する機能を有している。このＡＤＵ４２は、ＶＩＯＢ３１と接続されている。
【００３０】
ＳＣＵ７のＣＰＵ１０８に接続されている入力ポート（図示せず）は、ＶＩＯＢ３１を介して本体操作パネルであるＳＯＰ４３に接続されている。
【００３１】
本体操作パネルのＳＯＰ４３にはスタートスイッチ（図示せず）とアボートスイッチ（図示せず）が実装されており、表示装置としては液晶のＬＣＤ１１７を用いている。また、液晶表示の上にはマトリックスタッチスイッチ１１６が設けられ、使用者は液晶表示による入力図柄を押すと、タッチスイッチが反応し、その押下された座標情報（表示情報と対応）から入力された内容を判断する。ＬＣＤコントローラ１１５は液晶の表示制御とタッチスイッチの入力制御を行っており、タッチスイッチが押下されるとＬＣＤコントローラ１１５を介して、ＣＰＵ１０８がスイッチＯＮされたことを検出する。
【００３２】
画像データの流れは、ＳＢＵ−＞ＩＰＵ−＞メモリコントロールＬＳＩ（ＳＩＢＣ２）−＞ＳＣＳＩコントローラ−＞外部装置（パソコン等）となる。また、ＣＰＵ１０８から画像出力のＯＮ／ＯＦＦを図示しない画処理ＬＳＩ（ＩＰＵ）内部に既知技術として装備し、内部レジスタの書き換えで制御する。
【００３３】
次に、ＲＧＢ画像データの流れを図５に示す。
ＳＢＵ１０のカラーＣＣＤ４２により、ＲＧＢそれぞれ奇数ビット（ＯＤＤ）、偶数ビット（ＥＶＥＮ）毎に光電変換されたアナログビデオ信号は、ＳＢＵ１０上のバッファ４５を介しＶＩＯＢ３１に入力される。
【００３４】
各信号をＲ−ＯＤＤ（ＲＯ）、Ｒ−ＥＶＥＮ（ＲＥ）、Ｇ−ＯＤＤ（ＧＯ）、Ｇ−ＥＶＥＮ（ＧＥ）、Ｂ−ＯＤＤ（ＢＯ）、Ｂ−ＥＶＥＮ（ＢＥ）で表している。奇数ビット、偶数ビット毎のアナログビデオ信号は、ＶＩＯＢ３１上のアナログ処理回路３２に入力される。
【００３５】
アナログ処理回路３２に入力された信号は奇数ビット、偶数ビット毎に出力レベルを細かく可変できる内部のゲインアンプ（図示せず）を介し、偶数、奇数合成され、アナログビデオ信号として出力される。
【００３６】
各ゲインアンプのゲインコントロール端子にはＤ／Ａコンバータ４４が２チャンネル接続されており、Ｄ／Ａコンバータ４４の出力電圧をアナログ的に可変することで出力のアナログビデオ信号に対するゲインを偶数、奇数毎に可変することができる。
【００３７】
Ｄ／Ａコンバータ４４の出力電圧の設定はＳＣＵ７上のＣＰＵ１０８が行う。Ｄ／Ａコンバータ４４は基準電圧５Ｖ、ビット数８ビットであるため、出力電圧は０〜５Ｖまで２５５段階にＣＰＵ１０８が設定できる。ＣＰＵ１０８の設定は０〜２５５のデジタル（整数）である。
【００３８】
アナログ処理回路３２から偶数、奇数を合成し出力されたアナログビデオ信号は、ＲＧＢ毎にＡ／Ｄコンバータ３３に入力され、Ａ／Ｄコンバータ３３はこのアナログビデオ信号を８ビットのデジタルビデオ信号に変換する。
【００３９】
Ａ／Ｄコンバータ３３のリファレンス（ref）設定端子には、上述同様にＤ／Ａコンバータが接続されており、Ｄ／Ａコンバータ４４の出力電圧をアナログ的に可変することでＡ／Ｄコンバータ３３のデジタル出力値を可変することができる。
【００４０】
Ａ／Ｄコンバータ３３によりデジタル変換されたデジタルビデオデータはシェーディングＡＳＩＣ３４に入力される。シェーディングＡＳＩＣ３４は、主にシェーディング補正を行うが、このほかに主走査方向に対する１ラインのピーク値を検出することができるピーク検出部（図示せず）がある。
【００４１】
ピーク検出部は１ラインのピーク値を格納する機能を持つ。ＳＣＵ７上にあるＣＰＵ１０８は、格納された１ラインのピーク値を読み取ることができる。
【００４２】
アナログ処理回路３２の入力アナログビデオ信号をＶｉｎ、アナログ処理回路である一定のゲイン値Ｇにより増幅された出力アナログビデオ信号（アナログ処理回路の出力信号）をＶｏｕｔとすると、Ｖｏｕｔ＝Ｇ×Ｖｉｎになる。また、Ａ／Ｄコンバータ３３は基準電圧（リファレンス電圧）を出力最大としてデジタル変換するもので、基準電圧をＶｒｅｆとすると８ビットデジタル出力値Ｄは、Ｄ＝（Ｖｏｕｔ／Ｖｒｅｆ）×２５５になる。
【００４３】
次に、上記構成において、例えば、Ａ／Ｄコンバータ以前の不具合により、シェ−ディングＡＳＩＣ３４で取得されるにシェーディングデータに異常を生じた例を説明する。
【００４４】
一般的に画像読取装置においては、画像取得直前にＲＧＢ各波長スペクトルに対し、反射率が高くバランスの良い白色板を使用し、ＲＧＢ毎にシェ−ディング処理を行う。シェーディング補正とはＣＣＤの感度ムラや光源の照度分布バラツキの補正のことであり、デジタル光学系に関しては必須の処理となっている。
【００４５】
シェーディング補正の実施に際しては、まずはシェーディングデータ生成を行う。本実施形態ではシェーディングデータは、白基準板を読み取り１６ラインの画像データの単純加算平均より求めている。
シェーディングデータ＝（1ライン目のデータ＋2ライン目のデータ＋‥‥＋16ライン目のデータ）／16
【００４６】
一般的なシェ−ディング補正は上記シェーディングデータから対応する画素を演算する。
最大減算量：255(8bit)
シェーディング演算式を下式に示す。シェ-ディングの基本式は
シェーディング補正後データ＝読取データ／シェーディングデータ×２５５
ここで、読み取りデータ：Ｄ（ｎ）、シェーディングデータ：Ｓ#（ｎ）、シェーディング補正後データ：Ｄ#（ｎ）とすると、
Ｄ#（ｎ）＝（Ｄ（ｎ）／Ｓ#（ｎ））×２５５となる（ｎは任意の有効画素番号 EX.1〜7300）。
このときシェーディングデータをＤ、シェ-ディング前画像データＤｉｎをシェーディング後の画像データをＤｓとすると、ＲＧＢ各個別に実施するので、各ＲＧＢのデータは、小文字のrgbを付けて表現すると、
Ｄ#（ｎ）ｇ＝（Ｄ（ｎ）ｇ／Ｓ#（ｎ）ｇ）×２５５
白基準板の各ＲＧＢ主走査ピークデータが通常220digit程度でアナログゲインが調整されているが、シェーディング時作られるシェーディングデータＳ#（ｎ）ｇが極端に低い時（例えばＳ#（ｎ）ｒ、Ｓ#（ｎ）ｂ：208digit、209digitに比べて、このＳ#（ｎ）ｇデータのみが32digitの場合）、明らかにこのＧ系の異常であると判断できる。
【００４７】
図６にはその例としてＡＳＩＣ内部のレジスタの様子を表現している。シェーディングデータのアドレス（hex）は8000Hから始まりｂ7〜b0の8bitで書き込まれる。
8000H：Rのシェーディングデータの特定画素値（8bit）208が記載されている。
8001H：Gのシェーディングデータの特定画素値（8bit）32が記載されている。
8002H：Bのシェーディングデータの特定画素値（8bit）209が記載されている
8004H：RGBシェーディングデータのエラーフラグ（3bit）ｂ2:Ｒ、ｂ1:G、ｂ0:B、b7〜b4は不使用で、b1に１が立ち、エラー状態を表している。
この場合、Ｓ#（ｎ）ｇはＤ（ｎ）ｇの値が小さく（暗側）にあっても、補正係数が大きくなるため、明側に飛ばしてしまい、場合によっては出力飽和状態（255digit）になる（画像は異常画素部分が白スジのような状態になる。異常がＣＣＤの画素単位ではなく、回路であればその異常範囲はスジから全面に広がる）。
【００４８】
このように、シェ-ディングＡＳＩＣ以降にはシェ−ディング異常のデータが流れるが、シェ-ディングＡＳＩＣ内部のＧの内部レジスタ（特定画素値保持部）に、主走査の特定画素（EX.中央数画素分）の値が書き込まれる。この値に対しあらかじめ正常設定範囲（EX.64digit以上）を指定しておき、それ以外の値（例えば32digit）になればエラーフラグ（エラーを示す識別子）が立つレジスタ（識別子付加部）を設けておく。
【００４９】
ＣＰＵ１０８がデータをリードしてＣＰＵ処理の中で判断させても実施可能であるが、ＣＰＵバスを介してリードするＣＰＵ側の負荷はＡＳＩＣ側でハード実施する方が少ない。同様にＲ，Ｂに関しても同じ構成を持っており、３データ同様の事が実施可能である。
【００５０】
このように各ＲＧＢ画像データの画像処理部分にこのような機能を設けておく事で、ＲＧＢどのデータ系で異常が有ったのかが、ＣＰＵ１０８で簡単に判断可能となる。
【００５１】
通常のテキスト原稿においては、その原稿はカラーグラフィックスよりも、文字の占める割合が多くその色については、現状はほとんどの場合は白黒（グレー系）で有る為、原稿としてＲＧＢそれぞれのピーク波長での反射率は大きく差はない。そのため、Ｇが使用できない場合の代用として、ＢもしくはＲのデータでも代用可能となる場合が多い。
【００５２】
図５はモノクロ画像使用データの状態を示している。左側の図は通常状態（使用中は白抜きを表現している（Ｇデータを使用）。右側の図は、異常発生（Ｇ異常：暗で表現。下部に異常を提示）で代替えデータ使用中（Ｒ選択。白抜きに変化）を示している（Ｂ表示は変化せず）。なお、表示装置に関しては、ＬＣＤではＴＮ、ＳＴＮ、ＴＦＴ方式のものが一般的であるが、印刷された絵柄の下にＬＥＤ、電球などの光源を設けて表示する手段もあるが、いずれにしても問題はない。
【００５３】
この例のようにＲを選択された場合、ＣＰＵはＩＰＵのモノクロ選択レジスタへＲ選択を書き込む。
図７に示すように、例ではＩＰＵレジスタの9000Hに選択レジスタが設置されており、9000H：RGB選択データフラグ（3bit）ｂ2:Ｒ、ｂ1:G、ｂ0:B、b7〜b4は不使用で、b21に1が立ち、Ｒ選択状態を表している。ＩＰＵはＩＰＵに取り込まれるＲＧＢデータの中からＲデータ選択し、後段のメモリコントローラ以降の回路へ画像データバスを通して流す（他色の場合も同様）。本実施形態では、9001H：出力先選択フラグ（3bit）ｂ2:ＯＰＩＵ、ｂ1:メモリコントローラ、ｂ0:他（画像評価装置など）、b7〜b4は不使用。B1に１が立ち、メモリコントローラ選択状態を表している。
【００５４】
以上、本発明の実施形態によれば、原稿を光源で照射して、その反射光または透過光を少なくとも２種以上の光スペクトル感度特性をもつ光電変換素子で受光し、原稿画像に対応する電気データを上記感度特性数分出力し、そのうち１種類以上を使用し画像データとする画像読取装置においては、使用される画像データラインが故障もしくは異常時の場合、他のデータを使用するので、異常状態でも、マシンをダウンさせずに本来の画像に準じたレベルでも画像を取得できる。
【００５５】
また、本発明の実施形態によれば、スキャン前のシェ−ディング時に故障もしくは異常を判断し、異常状態でも他の画像データを使用するので、異常データによる画像を入手しなくて済み、ダウンタイムを起こさせずに毎回スキャン前に速やかに使用者の手を煩わすことなく代用画像を得ることができる。
【００５６】
以上、本発明の実施形態について説明したが、上記実施形態に限定されるものではなく、その要旨を逸脱しない範囲において種々の変形が可能である。
【産業上の利用可能性】
【００５７】
本発明は、ＰＰＣ、ファクシミリの光学制御について適用することができる。
【図面の簡単な説明】
【００５８】
【図１】本発明の実施形態に係るカラー画像読取装置の全体構成を示す図である。
【図２】本発明に係る画像読取装置の全体構成を示すブロック図である。
【図３】本発明に係る画像読取装置の画像データの流れを示すブロック図である。
【図４】本発明に係る画像読取装置の画像制御に関するブロック図である。
【図５】モノクロ画像使用データの状態を示す図である。
【図６】シェーディングＡＳＩＣ内部のレジスタの様子の一例を示す表である。
【図７】ＩＰＵ内部レジスタの様子の一例を示す表である。
【符号の説明】
【００５９】
１    レンズ
２    照明ランプ（照射手段）
３    第１ミラー
４    第３ミラー
５    第２ミラー
６    ＤＦ用原稿ガラス
７    ＳＣＵ
８    原稿台ガラス
９    走行体モータ
１０    ＳＢＵ
１３    原稿セットセンサ
１９    レジストセンサ
２２    排紙センサ
２７    原稿後端検知センサ
２８    原稿幅サイズ検知センサ
２９    原稿長サイズ検知センサ１
３０    原稿長サイズ検知センサ２
３１    ＶＩＯＢ（電気データ出力手段）
３２    アナログ処理回路
３３    Ａ／Ｄコンバータ
３４    シェーディングＡＳＩＣ
３５    ＩＰＵ（画像データ生成手段）
３６    ＯＩＰＵ
３７    ＶＩＤＥＯ入力切り換え回路
３８    ＳＩＢＣ２
３９    ＳＣＳＩ
４０    ＩＳＩＣ
４１    ＮＩＣ
４２    カラーＣＣＤ（受光手段）
４３    ＳＯＰ
４４    Ｄ／Ａコンバータ
４５    バッファ
１０６    画像メモリ
１０８    ＣＰＵ（異常判断手段）
１０９    ＲＯＭ
１１０    ＲＡＭ
１１５    ＬＣＤコントローラ
１１６    マトリックスタッチＳＷ
１１７    ＬＣＤ
【図１】
2006229706.tif 000003
【図２】
2006229706.tif 000004
【図３】
2006229706.tif 000005
【図４】
2006229706.tif 000006
【図５】
2006229706.tif 000007
【図６】
2006229706.tif 000008
【図７】
2006229706.tif 000009